(57)【要約】      （修正有）【課題】隣接面カリエスなどを明確、かつ再現性良く検査、計測、撮影する。【解決手段】光注入手段を歯牙に固定して光注入位置を所定位置に位置させ、直接作成光注入位置固定手段または間接作成光注入位置固定手段を備える。【選択図】図１
2007181578.tif 000002
【特許請求の範囲】
【請求項１】
歯牙歯周検査装置は、光によりう蝕または歯周病を計測する光注入手段を歯牙に固定し光注入位置を所定位置に位置させ、かつ口腔内で固形化する弾性体、固体、樹脂、金属、セラミックスなどにより構成される直接作成光注入位置固定手段を備える事を特徴とする歯牙歯周検査装置。
【請求項２】
歯牙歯周検査装置は、光によりう蝕または歯周病を計測する光注入手段を歯牙に固定し光注入位置を所定位置に位置させるために歯牙などの口腔内を複製した模型上にて作成された間接作成光注入位置固定手段を備える事を特徴とする歯牙歯周検査装置。
【発明の詳細な説明】
【技術分野】
【０００１】
本発明は、歯牙歯周の検査、計測に関する技術
である。
【背景技術】
【０００２】
従来には以下の特許文献１があったが、本発明のように個々の患者さんが有する個々の形態の歯牙に完全に最適位置に光注入し、また完全に繰り返し同じ位置に再現するような技術はなかった。すなわち特許文献１の光プローブよりさらに再現性よく、さらに高感度、高精度な検査を可能としている。。
【特許文献１】特願2005−305406  号公報
【発明の開示】
【発明が解決しようとする課題】
【０００３】
従来の歯牙や歯周の検査、計測では１回目の検査と２回目の検査など時間経過した後の同部位の検査では、同じ部位を検査できていないという再現性の問題が生じていた。
【課題を解決するための手段】
【０００４】
１〔請求項１の手段〕
請求項１の歯牙歯周検査装置は、光によりう蝕または歯周病を計測する光注入手段を歯牙に固定し光注入位置を所定位置に位置させ、かつ口腔内で固形化する弾性体、固体、樹脂、金属、セラミックスなどにより構成される直接作成光注入位置固定手段を備える事を特徴とする。
２〔請求項２の手段〕
請求項２の歯牙歯周検査装置は、光によりう蝕または歯周病を計測する光注入手段を歯牙に固定し光注入位置を所定位置に位置させるために歯牙などの口腔内を複製した模型上にて作成された間接作成光注入位置固定手段を備える事を特徴とする
【発明の効果】
【０００５】
１〔請求項１の作用および効果〕
請求項１の歯牙歯周検査装置は、光によりう蝕または歯周病を計測する光注入手段を歯牙に固定し光注入位置を所定位置に位置させ、かつ口腔内で固形化する弾性体、固体、樹脂、金属、セラミックスなどにより構成される直接作成光注入位置固定手段を備える事を特徴とするので、最適位置にて光注入ができ、隣接面う蝕が高コントラスト、高感度、易認識な透過像として視認できる。また高い再現性で繰り返し認識できる。それによりう蝕の進行度合いなどが良くわかる。
さらに象牙質初期うしょくが高感度で判明する。
隣接面う蝕の頬舌的な位置がわかる。（歯科の歴史上始って以来の快挙である。）
さらに間接法に比べて製造工程が少ない。
２〔請求項２の作用および効果〕
請求項２の歯牙歯周検査装置は、光によりう蝕または歯周病を計測する光注入手段を歯牙に固定し光注入位置を所定位置に位置させるために歯牙などの口腔内を複製した模型上にて作成された間接作成光注入位置固定手段を備える事を特徴とするので、最適位置に光注入でき、隣接面う蝕が高コントラスト、高感度、易認識な透過像として視認できる。また高い再現性で繰り返し認識できる。それによりう蝕の進行度合いなどが良くわかる。
さらに象牙質初期うしょくが高感度で判明する。
隣接面う蝕の頬舌的な位置がわかる。（歯科の歴史始って以来の快挙である。）
さらに直接法に比べて製作が簡単である。
【発明を実施するための最良の形態】
【０００６】
本発明の歯牙歯周検査装置を、図１に示す実施例または変形例に基づき説明する。
手段を採用することを実施の形態とする。
【実施例１】
【０００７】
［第１実施例の形態］
直接的に口腔内にて光注入位置固定手段を作成する事を実施の形態とする。
〔第１実施例の構成〕
図１において
歯牙歯周検査装置は、
少なくとも直接作成光注入位置固定手段を少なくとも備える。
【０００８】
〔構成と動作〕
図１のごとく光注入手段と歯牙を位置づけた後に、その間隙に即時固定手段を注入する。具体的には既知のシリコーン重合材を注入する。
【０００９】
さらに具体的には、光ファイバーの先端の光を歯間鼓形空隙の歯牙表面に位置づけして、最もう蝕がきれいに投影さえる場所に位置づけする。そしてその位置で即時重合素材（シリコーン、チオコール、アルジネートなど）で充填硬化し固定させる。この時、弾性素材であるとさらに撤去や固定を再現よく簡単にできるので便利である。これが直接作成光注入位置固定手段である。
【００１０】
その後に撤去して、検診などの都度に歯牙に再固定して光を注入する。この時、バリなどの不要な部分は除去しておくとさらに使いよい。
【００１１】
〔効果〕
するといつも同じ位置で光注入ができるので、再現性ある光注入ができ、う蝕などの大きななどの進行状態が定量的に経時変化が判明する。間接作成光注入位置固定手段より簡便に作成ができる。
【００１２】
［変形例］
上記手段は、術者や製造者が取捨選択し使用、製造する。
【実施例２】
【００１３】
［第２実施例の形態］
間接的に複製された模型にて光注入位置固定手段を作成する事を実施の形態とする。
【００１４】
〔第２実施例の構成〕
歯牙歯周検査装置は、
少なくとも間接作成光注入位置固定手段を少なくとも備える。
【００１５】
〔構成と動作〕
図１に示された歯牙をまず通法に従い印象し、模型を作成する。そして光注入手段と歯牙をおおよそ位置づけた後に、その間隙に即時固定手段を注入する。具体的な一例としては既知のシリコーン重合材を光注入手段の周囲１ｍｍから２ｍｍ程度あけて注入する。この間隙は、光注入手段が有る程度自由に動き最適注入場所をもとめることができるために作成された間隙である。一例としてユーティリティワックスなどで間隙をつくりシリコーンなどを流し込み、その後に撤去しても良い。
【００１６】
そしてこのシリコーン型を口腔名にセットして、光注入手段を挿入し隣接面カリエスを観察し、最も良い画像が得られたら、光注入手段と間接作成光注入位置固定手段との間にあいた間隙にシリコーンなどを注入し固定する。
【００１７】
その後に撤去して、検診などの都度に歯牙に再固定して光を注入する。
【００１８】
〔効果〕
するといつも同じ位置で光注入ができるので、再現性ある光注入ができ、う蝕などの大きななどの進行状態が定量的に経時変化が判明する。直接作成光注入位置固定手段よりきれいに最適な形状にて作成ができる。
【００１９】
〔総合変形例〕
上記実施例に使用する材質、形状などは本発明の趣旨に沿えばどのようなものでもよい。
【００２０】
上記実施例または変形例は単独で実施しても良いし、また組み合わせて実施しても良い
また他の用途に使用しても良い。一例として特願２００５−３０５４０６のいづれかまたはその組み合わせ手段と組み合わせて使用しても良い。  また平成１８年１月８日出願のMICRO０６００１の歯牙固定カメラと併用すると再現性が高いう蝕認識装置となる。
【産業上の利用可能性】
【００２１】
隣接面う蝕を高感度、高再現性にて撮影、検査、計測できる。またトンネル窩洞を形成するときに頬舌的な位置を確認し形成ができる唯一の診断装置でもある。
【図面の簡単な説明】
【００２２】
【図１】直接または作成光注入位置固定手段の一例。
【図１】
2007181578.tif 000003